(57)【特許請求の範囲】
【請求項１】
第一の顔情報とすくなくとも一つの第一の端末識別情報と第一の音声情報とを含む取得情報を受信する受信部と、
顔情報と端末識別情報と音声情報との対応関係を記憶した情報記憶部から、前記第一の顔情報と同一人物と判断される第二の顔情報に対応し、かつ、前記第一の端末識別情報に含まれる、第二の端末識別情報を取得し、前記情報記憶部から、前記第二の端末識別情報の各々について、対応する第二の音声情報を取得し、前記第一の音声情報と前記第二の音声情報が同一人物でないと判断された場合、前記第一の音声情報と同一人物でないと判断された前記第二の音声情報に対応する前記端末識別情報を前記第二の端末識別情報から除く特定部と、
前記第二の端末識別情報が存在するとき、前記第一の顔情報あるいは／および前記第二の顔情報と前記第二の端末識別情報を出力する出力部と
を備えることを特徴とする通信端末特定装置。
【請求項２】
前記特定部は、前記取得情報を前記情報記憶部に記憶する
ことを特徴とする請求項１に記載の通信端末特定装置。
【請求項３】
請求項１あるいは請求項２に記載の通信端末特定装置と、
情報収集装置とを備え、
前記情報収集装置は、
閉空間に人物が入ってきたことを検知し、前記人物の前記第一の顔情報を取得する顔情報取得部と、
前記第一の顔情報を取得したとき、前記閉空間を通信範囲とする無線通信基地局と通信する通信端末の前記第一の端末識別情報を取得する端末識別情報取得部と、
取得した前記第一の端末識別情報の前記通信端末が音声通信を行っている場合、前記音声通信の前記第一の音声情報を取得する音声取得部と、
前記第一の端末識別情報を取得できたとき、前記第一の顔情報と前記第一の端末識別情報と前記第一の音声情報とを前記通信端末特定装置の前記受信部へ送信する送信部と
を備えることを特徴とする通信端末特定システム。
【請求項４】
前記情報収集装置は、さらに、
前記第一の顔情報を取得したとき、前記人物が所持する前記通信端末の形状情報を取得する端末形状取得部
を備え、
前記端末識別情報取得部は、前記形状情報を取得できたとき、前記第一の端末識別情報を取得する
ことを特徴とする請求項３に記載の通信端末特定システム。
【請求項５】
前記顔情報取得部は、前記閉空間を区分したセル空間に前記人物が入ってきたことを検知し、前記人物の前記第一の顔情報を取得し、
前記情報収集装置は、さらに、
前記顔情報を記憶する顔情報記憶部に、前記顔情報取得部で取得した前記第一の顔情報と同一人物と判断される前記顔情報が記憶されているとき、前記第一の顔情報の前記人物が移動していると判断する照合部
を備え、
前記送信部は、さらに、前記照合部の移動判断結果を送信する
ことを特徴とする請求項３あるいは請求項４に記載の通信端末特定システム。
【請求項６】
前記照合部は、前記顔情報取得部が取得した前記第一の顔情報を前記顔情報記憶部に記憶する
ことを特徴とする請求項５に記載の通信端末特定システム。
【請求項７】
第一の顔情報とすくなくとも一つの第一の端末識別情報と第一の音声情報とを含む取得情報を受信し、
顔情報と端末識別情報と音声情報との対応関係を記憶した情報記憶部から、前記第一の顔情報と同一人物と判断される第二の顔情報に対応し、かつ、前記第一の端末識別情報に含まれる、第二の端末識別情報を取得し、前記情報記憶部から、前記第二の端末識別情報の各々について、対応する第二の音声情報を取得し、前記第一の音声情報と前記第二の音声情報が同一人物でないと判断された場合、前記第一の音声情報と同一人物でないと判断された前記第二の音声情報に対応する前記端末識別情報を前記第二の端末識別情報から除き、
前記第二の端末識別情報が存在するとき、前記第一の顔情報あるいは／および前記第二の顔情報と前記第二の端末識別情報を出力する
ことを特徴とする通信端末特定方法。
【発明の詳細な説明】
【技術分野】
【０００１】
本発明は、閉空間内の人物が通信を行っている通信端末を特定するための通信端末特定装置、情報収集装置および方法に関する。
【背景技術】
【０００２】
ある人物の通信内容を解析したい場合、まずその人物が所持している通信端末からの通信呼を事前に特定する必要がある。
【０００３】
ある閉空間内の多くの通信呼の内容をパケットインスペクション等で解析し、通信内容から特定の人物の所持している通信端末を絞り込むことも可能だが、通信呼の解析処理には多くのコストがかかってしまう。
【０００４】
特許文献１には、通信する人物を特定する方法として、電話会議システムにおいて、接続している端末から受信した音声の声紋と既知の人物の声紋を照合して通信相手の人物を特定する方法が記載されている。
【０００５】
また、特許文献２には、ある人物の近くの通信端末を特定する方法として、人物とその人物の位置を検出し、検出した位置に近い通信端末にその人物向けの情報を出力する方法が記載されている。
【先行技術文献】
【特許文献】
【０００６】
【特許文献１】特開2014-086796号公報
【特許文献２】特開2003-296268号公報
【発明の概要】
【発明が解決しようとする課題】
【０００７】
しかし、特許文献１に記載の方法では、あらかじめ特定の人物の声紋を事前に把握しておく必要がある。そのため、声紋を把握していない人物の通信端末を特定することができない。また、音声通信ではなくデータ通信を行っている通信端末については使用者を特定することができない。
【０００８】
また、特許文献２に記載の方法では、各通信端末の位置や識別情報をあらかじめ把握しておく必要がある。そのため、通信端末の位置や識別情報があらかじめわかっていない場合には、人物の近くの通信端末を特定することができない。
【０００９】
本発明の目的は、不特定多数の人物が出入りする閉空間内で通信を行っている人物と端末識別情報を対応付けることを可能にする通信端末特定装置、情報収集装置および方法を提供することにある。
【課題を解決するための手段】
【００１０】
上述の問題を解決するために、本発明の通信端末特定装置は、第一の顔情報とすくなくとも一つの第一の端末識別情報を含む取得情報を受信する受信部と、前記顔情報と前記端末識別情報の対応関係を記憶した情報記憶部から、前記第一の顔情報と同一人物と判断される第二の顔情報に対応し、かつ、前記第一の端末識別情報に含まれる、第二の端末識別情報を取得する特定部と、前記第二の端末識別情報が存在するとき、前記第一の顔情報あるいは／および前記第二の顔情報と前記第二の端末識別情報を出力する出力部とを備えることを特徴とする。
【００１１】
また、本発明の情報収集装置は、閉空間に人物が入ってきたことを検知し、前記人物の顔情報を取得する顔情報取得部と、前記顔情報を取得したとき、前記閉空間を通信範囲とする無線通信基地局と通信する通信端末の端末識別情報を取得する端末識別情報取得部と、前記端末識別情報を取得できたとき、前記顔情報と前記端末識別情報とを送信する送信部とを備えることを特徴とする。
【００１２】
また、本発明の通信端末特定方法は、第一の顔情報とすくなくとも一つの第一の端末識別情報を含む取得情報を受信し、前記顔情報と前記端末識別情報の対応関係を記憶した情報記憶部から、前記第一の顔情報と同一人物と判断される第二の顔情報に対応し、かつ、前記第一の端末識別情報に含まれる、第二の端末識別情報を取得し、前記第二の端末識別情報が存在するとき、前記第一の顔情報あるいは／および前記第二の顔情報と前記第二の端末識別情報を出力することを特徴とする。
【００１３】
また、本発明の情報収集方法は、閉空間に人物が入ってきたことを検知し、前記人物の顔情報を取得し、前記顔情報を取得したとき、前記閉空間を通信範囲とする無線通信基地局と通信する通信端末の端末識別情報を取得し、前記端末識別情報を取得できたとき、前記顔情報と前記端末識別情報とを送信することを特徴とする。
【発明の効果】
【００１４】
本発明の通信端末特定装置、情報収集装置および方法により、不特定多数の人物が出入りする閉空間内で通信を行っている人物と端末識別情報を対応付けることが可能になる。
【図面の簡単な説明】
【００１５】
【図１】本発明の第一および第二の実施形態の通信端末特定装置および情報収集装置の構成例を示す図である。
【図２】本発明の第一および第二の実施形態の情報収集装置の動作例を示す図である。
【図３】本発明の第一および第二の実施形態の通信端末特定装置の動作例を示す図である。
【図４】本発明の第二の実施形態の通信端末特定装置の動作例を示す図である。
【図５】本発明の第三の実施形態の情報収集装置の構成例を示す図である。
【図６】本発明の第三の実施形態の情報収集装置の動作例を示す図である。
【図７】本発明の第三の実施形態の通信端末特定装置の動作例を示す図である。
【図８】本発明の第三の実施形態の通信端末特定装置の動作例を示す図である。
【図９】本発明の第四の実施形態の情報収集装置の構成例を示す図である。
【図１０】本発明の第四の実施形態の情報収集装置の動作例を示す図である。
【図１１】本発明の第五の実施形態の情報収集装置の構成例を示す図である。
【図１２】本発明の第五の実施形態の情報収集装置の動作例を示す図である。
【図１３】本発明の第五の実施形態の通信端末特定装置の動作例を示す図である。
【図１４】本発明の第六の実施形態の通信端末特定装置の構成例を示す図である。
【図１５】本発明の第六の実施形態の情報収集装置の動作例を示す図である。
【図１６】本発明の第六の実施形態の通信端末特定装置の動作例を示す図である。
【発明を実施するための形態】
【００１６】
［第一の実施形態］
まず、本発明の第一の実施形態について説明する。
【００１７】
図１に本実施形態の情報収集装置２０および通信端末特定装置１０の構成例を示す。
【００１８】
情報収集装置２０は、顔情報取得部２１、端末識別情報取得部２２および送信部２３により構成される。
【００１９】
顔情報取得部２１は、閉空間に人物が入ってきたことを検知し、その人物の顔情報を取得する部分である。
【００２０】
端末識別情報取得部２２は、顔情報取得部２１が顔情報を取得したとき、閉空間を通信範囲とする無線通信基地局と通信する通信端末の端末識別情報を取得する部分である。
【００２１】
送信部２３は、端末識別情報を取得できたとき、顔情報と端末識別情報とを送信する部分である。
【００２２】
通信端末特定装置１０は、受信部１１、特定部１２、情報記憶部１３および出力部１４により構成される。
【００２３】
受信部１１は、第一の顔情報とすくなくとも一つの第一の端末識別情報を含む取得情報を受信する部分である。
【００２４】
特定部１２は、顔情報と端末識別情報の対応関係を記憶した情報記憶部１３から、第一の顔情報と同一人物と判断される第二の顔情報に対応し、かつ、第一の端末識別情報に含まれる、第二の端末識別情報を取得する部分である。
【００２５】
出力部１４は、第二の端末識別情報が存在するとき、第一の顔情報あるいは／および第二の顔情報と第二の端末識別情報を出力する部分である。
【００２６】
このように情報収集装置２０および通信端末特定装置１０を構成することによって、不特定多数の人物が出入りする閉空間内で通信を行っている人物と端末識別情報を対応付けることが可能になる。
【００２７】
次に、図２に本実施形態の情報収集装置２０の動作の例を示す。
【００２８】
まず、顔情報取得部２１は、閉空間に人物が入ってきたことを検知し、その人物の顔情報を取得する（ステップＳ１０１）。
【００２９】
次に、端末識別情報取得部２２は、顔情報取得部２１が顔情報を取得したとき、閉空間を通信範囲とする無線通信基地局と通信する通信端末の端末識別情報を取得する（ステップＳ１０２）。
【００３０】
そして、送信部２３は、端末識別情報取得部２２で端末識別情報を取得できたとき、顔情報と端末識別情報とを送信する（ステップＳ１０３）。
【００３１】
次に、図３に本実施形態の通信端末特定装置１０の動作の例を示す。
【００３２】
まず、受信部１１は、第一の顔情報とすくなくとも一つの第一の端末識別情報を含む取得情報を受信する（ステップＳ２０１）。
【００３３】
次に、特定部１２は、顔情報と端末識別情報の対応関係を記憶した情報記憶部１３から、第一の顔情報と同一人物と判断される第二の顔情報に対応し、かつ、第一の端末識別情報に含まれる、第二の端末識別情報を取得する（ステップＳ２０２）。
【００３４】
そして、出力部１４は、第二の端末識別情報が存在するとき、第一の顔情報あるいは／および第二の顔情報と第二の端末識別情報を出力する（ステップＳ２０３）。
【００３５】
このように情報収集装置２０および通信端末特定装置１０を動作させることによって、不特定多数の人物が出入りする閉空間内で通信を行っている人物と端末識別情報を対応付けることが可能になる。
【００３６】
以上で説明したように、本発明の第一の実施形態では、閉空間内の人物の顔情報と端末識別情報を取得し、取得した顔情報と同一人物と判断される顔情報に対応し、かつ、取得した端末識別情報に含まれる端末識別情報を情報記憶部から取得する。そのため、不特定多数の人物が出入りする閉空間内で通信を行っている人物と端末識別情報を対応付けることが可能になる。
【００３７】
［第二の実施形態］
次に、本発明の第二の実施形態について説明する。
【００３８】
本実施形態の情報収集装置２０および通信端末特定装置１０の構成例および動作例は図１から図３と同様である。
【００３９】
本実施形態では、第一の実施形態で説明した本実施形態の情報収集装置２０および通信端末特定装置１０の動作の例について、具体的に説明する。
【００４０】
情報収集装置２０は、ある閉空間に対して一つ存在する。閉空間は、たとえば、コンビニエンスストアや銀行等の店舗内、ホテルのロビー、駅のプラットフォームといった、ある限られた範囲の空間である。この閉空間は、壁等で明示的に区切られている必要はなく、オープンなスペースであっても良い。通信端末特定装置１０はすくなくとも一つの情報収集装置２０からの情報を、ネットワーク等を介して受信する。
【００４１】
まず、閉空間Ａに存在する情報収集装置２０の顔情報取得部２１は、情報収集装置２０が監視する閉空間Ａに人物が入ってきたことを検知し、その人物の顔情報Ａ−１を取得する（図２のステップＳ１０１）。
【００４２】
顔情報取得部２１では、カメラ等の撮像装置を介して、閉空間を監視する。一つの閉空間内に、撮像装置は複数存在することが可能である。撮像装置が複数存在する場合、顔情報取得部２１は複数の撮像装置の撮像情報から、監視対象の閉空間に人物が入ってきたことを検知する。
【００４３】
閉空間に人物が入ってきたことの検知には、どのような方法を使用しても良い。たとえば、撮像装置の撮像情報に対して、顔と推定される部分を抽出する方法、動いている部分を抽出して人物かどうか判断する方法などが考えられる。撮像装置で人物を検知するだけでなく、たとえば、人感センサーなどでの人物検知を組み合わせても良い。
【００４４】
また、取得する顔情報については、通信端末特定装置１０で行う、他の顔情報と同一人物であるかを判断するために必要な情報を取得する。たとえば、１枚以上の静止画を取得する、静止画ではなく動画を取得する、などの方法が考えられる。また、取得した静止画や動画そのものを顔情報とする以外に、撮像情報から通信端末特定装置１０で使用する特徴量を抽出し、その特徴量を顔情報としても良い。
【００４５】
次に、端末識別情報取得部２２は、顔情報取得部２１が顔情報Ａ−１を取得したとき、閉空間Ａを通信範囲とする無線通信基地局と通信する通信端末の端末識別情報Ａ−２を取得する（ステップＳ１０２）。端末識別情報取得部２２は、閉空間Ａを通信範囲とする無線通信基地局から、当該無線通信基地局と通信する通信端末の端末識別情報を得る。閉空間内では複数の通信端末が通信を行っている可能性があるため、端末識別情報Ａ−２には複数の端末識別情報が存在し得る。また、一つも端末識別情報を取得できない場合もあり得る。
【００４６】
無線通信基地局は、たとえば、携帯電話の基地局や、無線ＬＡＮ（Local Area Network）のアクセスポイント等、閉空間内で通信を行う通信端末の接続先である。
【００４７】
端末識別情報は、無線通信を行っている通信端末を一意に特定するための識別子である。たとえば、通信端末の固有識別子（例：ＩＭＥＩ（International Mobile Equipment Identity））、電話番号などが利用できる。
【００４８】
そして、送信部２３は、端末識別情報取得部２２で端末識別情報Ａ−２を取得できたとき、顔情報Ａ−１と端末識別情報Ａ−２とを通信端末特定装置１０へ送信する（ステップＳ１０３）。
【００４９】
通信端末特定装置１０の受信部１１は、情報収集装置２０より、顔情報Ａ−１と端末識別情報Ａ−２を受信する（図３のステップＳ２０１）。
【００５０】
次に、特定部１２は、受信した顔情報Ａ−１と同一人物と判断される顔情報に対応し、かつ、端末識別情報Ａ−２に含まれる端末識別情報を、情報記憶部１３から取得する（ステップＳ２０２）。情報記憶部１３には、過去に受信した顔情報と端末識別情報の対応関係を記憶している。ステップＳ２０２では、たとえば、まず、顔情報Ａ−１と同一人物と判断される顔情報が情報記憶部１３にあるか調べる。このとき、情報記憶部１３にはまだ顔情報が記憶されていないので、通信端末特定装置１０は、顔情報Ａ−１と端末識別情報Ａ−２を情報記憶部１３に記憶し、顔情報、端末識別情報の受信待ちに戻る。
【００５１】
あるいは、まず、端末識別情報Ａ−２に含まれる端末識別情報が情報記憶部１３にあるか調べる。このとき、情報記憶部１３にはまだ端末識別情報が記憶されていないので、顔情報Ａ−１と端末識別情報Ａ−２を情報記憶部１３に記憶し、顔情報、端末識別情報の受信待ちに戻る。
【００５２】
２つの顔情報が同一人物であるかどうかを判断する方法には、いかなる顔認識方法を使用しても構わない。たとえば、顔画像から特徴量を抽出し、特徴量の一致度を判断する方法などが考えられる。
【００５３】
また、閉空間Ｂに存在する情報収集装置２０においても、閉空間Ａと同様に、閉空間Ｂに入ってきた人物の顔情報Ｂ−１と、端末識別情報Ｂ−２を取得し、通信端末特定装置１０に送信する。ここで、閉空間Ａの人物と閉空間Ｂの人物は、別の人物であるとする。
【００５４】
そして、通信端末特定装置１０の受信部は、顔情報Ｂ−１と端末識別情報Ｂ−２を受信する（ステップＳ２０１）。
【００５５】
次に、特定部１２は、受信した顔情報Ｂ−１と同一人物と判断される顔情報に対応し、かつ、端末識別情報Ｂ−２に含まれる端末識別情報を、情報記憶部１３から取得する（ステップＳ２０２）。
【００５６】
たとえば、顔情報Ｂ−１と同一人物と判断される顔情報が情報記憶部１３にあるか調べる。このとき、情報記憶部１３には同一人物の顔情報が記憶されていないので、通信端末特定装置１０は、顔情報Ｂ−１と端末識別情報Ｂ−２を情報記憶部１３に記憶し、顔情報、端末識別情報の受信待ちに戻る。
【００５７】
あるいは、端末識別情報Ｂ−２に含まれる端末識別情報が情報記憶部１３にあるか調べる。このとき、端末識別情報Ｂ−２に含まれる端末識別情報が情報記憶部１３に記憶されていれば、その端末識別情報に対応する顔情報を取得し、顔情報Ｂ−１と同一人物と判断できるか確認する。顔情報Ｂ−１と同一人物の顔情報は情報記憶部１３に記憶されていないため、顔情報Ｂ−１と端末識別情報Ｂ−２を情報記憶部１３に記憶し、顔情報、端末識別情報の受信待ちに戻る。
【００５８】
このときの通信端末特定装置１０の情報記憶部１３に記憶された情報の例を図４の（ｂ）に示す。顔情報と端末識別情報が対応付けて記憶されている。
【００５９】
この状態で、閉空間Ａにいた人物が閉空間Ｃに移動したとする。このとき、閉空間Ｃに存在する情報収集装置２０において、閉空間Ｃに入ってきた人物の顔情報Ｃ−１と、端末識別情報Ｃ−２を取得し、通信端末特定装置１０に送信する。
【００６０】
そして、通信端末特定装置１０の受信部は、顔情報Ｃ−１と端末識別情報Ｃ−２を受信する（ステップＳ２０１）。このときの情報の例を図４（ａ）に示す。
【００６１】
次に、特定部１２は、受信した顔情報Ｃ−１と同一人物と判断される顔情報に対応し、かつ、端末識別情報Ｃ−２に含まれる端末識別情報を、情報記憶部１３から取得する（ステップＳ２０２）。たとえば、まず、顔情報Ｃ−１と同一人物と判断される顔情報が情報記憶部１３にあるか調べる。情報記憶部１３には図４（ｂ）の情報が記憶されている。顔情報Ａ−１は顔情報Ｃ−１と同一人物の顔情報のため、顔情報Ａ−１が同一人物と判断される。
【００６２】
顔情報Ｃ−１と顔情報Ａ−１が同一人物と判断されたため、特定部１２は、情報記憶部１３から、顔情報Ａ−１に対応する端末識別情報Ａ−２（ＩＤ１、ＩＤ２、ＩＤ３）を取得する。端末識別情報Ｃ−２（ＩＤ２、ＩＤ６、ＩＤ７）を比較すると、ＩＤ２がいずれにも存在するため、ＩＤ２を取得する。そして、顔情報Ｃ−１、端末識別情報Ｃ−２についても、情報記憶部１３に記憶する。このときの情報記憶部１３に記憶された情報の例を図４（ｃ）に示す。
【００６３】
ここで、同一人物と判断される顔情報が情報記憶部１３に複数記憶されていた場合には、複数の端末識別情報のいずれにも存在する端末識別情報を取得する。あるいは、所定の頻度以上出現している端末識別情報を取得し、出現頻度の順に並べ替えて出力するようにしても良い。所定の頻度以上出現している端末識別情報を取得し、情報記憶部１３に記憶された日時が新しい順に並べ替えて出力することも考えられる。
【００６４】
あるいは、顔情報の判断の前に、端末識別情報の比較を行っても良い。まず、端末識別情報Ｃ−２に含まれる端末識別情報が情報記憶部１３にあるか調べる。図４（ｂ）では、ＩＤ２が端末識別情報Ａ−２に含まれている。次に、端末識別情報Ａ−２に対応する顔情報Ａ−１が、顔情報Ｃ−１と同一人物がどうか判断する。顔情報Ａ−１と顔情報Ｃ−１は同一人物のため、端末識別情報ＩＤ２を取得する。
【００６５】
そして、出力部１４は、顔情報Ａ−１あるいは／および顔情報Ｃ−１と、端末識別情報ＩＤ２を出力する（ステップＳ２０３）。このときの出力情報の例を図４（ｄ）に示す。
【００６６】
このように情報収集装置２０および通信端末特定装置１０を動作させることによって、顔情報Ａ−１あるいは顔情報Ｃ−１と通信端末の端末識別情報ＩＤ２を対応付けることが可能になる。これにより、閉空間内の顔情報Ａ−１あるいは顔情報Ｃ−１の人物が通信を行っている通信端末の端末識別情報はＩＤ２であると推定することが可能になる。
【００６７】
そして、特定の人物の通信内容を解析する場合には、特定の人物と同一人物と判断される顔情報に対応する端末識別情報を出力結果から取得し、その端末識別情報を持つ通信端末の通信内容を解析することで、特定の人物の通信内容を解析することが可能になる。また、閉空間内の通信端末を特定することができるため、閉空間内にいる不特定の人物が所持する通信端末に対して、何らかの通知や通信遮断等を行うことも可能になる。たとえば、顔情報により性別や年齢層を判断して、その性別や年齢層に応じたメッセージを送信することも可能になる。
【００６８】
なお、上記では、ステップＳ１０１について、不特定多数の人物の顔情報を取得する方法について説明した。しかし、監視対象の人物の顔情報があらかじめ得られている場合には、監視対象の人物の顔情報と同一人物と判定できる人物についてのみ顔情報を取得することも可能である。
【００６９】
以上で説明したように、本発明の第二の実施形態でも、閉空間内の人物の顔情報と端末識別情報を取得し、取得した顔情報と同一人物と判断される顔情報に対応し、かつ、取得した端末識別情報に含まれる端末識別情報を情報記憶部から取得する。そのため、不特定多数の人物が出入りする閉空間内で通信を行っている人物と端末識別情報を対応付けることが可能になる。
【００７０】
［第三の実施形態］
次に、本発明の第三の実施形態について説明する。
【００７１】
本実施形態は、第一あるいは第二の実施形態の情報収集装置に対して、音声通信から音声を取得する構成を追加した構成である。
【００７２】
図５に情報収集装置３０の構成例を示す。なお、通信端末特定装置１０の構成例は図１と同様である。
【００７３】
情報収集装置３０は、顔情報取得部２１、端末識別情報取得部２２、音声取得部３４および送信部２３により構成される。顔情報取得部２１、端末識別情報取得部２２については第一、第二の実施形態と同様である。
【００７４】
音声取得部３４は、端末識別情報取得部２２で取得した端末識別情報の通信端末が音声通信を行っているかどうか確認し、音声通信を行っている場合には、音声通信から音声情報を取得する部分である。
【００７５】
送信部２３では、顔情報、端末識別情報と合わせて、音声取得部３４で取得した音声情報を通信端末特定装置１０へ送信する。
【００７６】
このように情報収集装置３０を構成することによって、不特定多数の人物が出入りする閉空間内で通信を行っている人物と端末識別情報を対応付けることが可能になる。さらに、音声情報を利用することによって、より正確に顔情報と端末識別情報を対応付けることが可能になる。
【００７７】
次に、図６に本実施形態の情報収集装置３０の動作の例を示す。図６のステップＳ３０１、Ｓ３０２は図２のステップＳ１０１、Ｓ１０２と同様である。
【００７８】
まず、閉空間Ｃに存在する情報収集装置３０の顔情報取得部２１は、情報収集装置３０が監視する閉空間Ｃに人物が入ってきたことを検知し、その人物の顔情報Ｃ−１を取得する（ステップＳ３０１）。
【００７９】
そして、端末識別情報取得部２２は、顔情報取得部２１が顔情報Ｃ−１を取得したとき、閉空間Ｃを通信範囲とする無線通信基地局と通信する通信端末の端末識別情報Ｃ−２を取得する（ステップＳ３０２）。
【００８０】
次に、音声取得部３４は、端末識別情報取得部２２で端末識別情報Ｃ−２を取得できたとき、端末識別情報Ｃ−２の通信端末の中に音声通信を行っている通信端末があれば、音声通信から音声情報Ｃ−３を取得する（ステップＳ３０３）。
【００８１】
各通信端末が音声通信を行っているかどうかの確認、および、音声通信から音声情報を取得する処理は、無線通信基地局以降の通信事業者網内で行う。音声取得部３４は、無線通信基地局以降の通信事業者網内の装置から、確認結果と音声情報を取得する。
【００８２】
利用できる音声通信としては、通話専用回線による音声通信、ＶｏＩＰ（Voice over Internet Protocol）等のパケット通信回線による音声通信のいずれについても利用可能である。
【００８３】
通話専用回線による音声通信の場合、各通信端末が音声通信を行っているかどうかは、該当する通信端末が通信を行っている回線が存在するかどうかを確認することにより確認できる。そして、通信を行っている回線が存在する場合には、その回線の音声を取得する。また、パケット通信回線による音声通信の場合、各通信端末が音声通信を行っているかどうかは、該当する通信端末からのパケットを解析して音声通信パケットがあるかどうかを確認することにより確認できる。そして音声通信パケットがある場合には、音声通信パケットから符号化音声データを取得する。
【００８４】
そして、取得した音声データから、同一人物かどうかを通信端末特定装置１０で判断するために必要な情報を、音声情報として抽出する。たとえば、符号化音声データそのものを所定の長さ分取得して音声情報としても良いが、復号した音声、ノイズを除去した音声、人の声と推定される部分を切り出した音声、音声から特徴量を抽出した声紋（周波数情報など）等を音声情報としても良い。
【００８５】
そして、送信部２３は、端末識別情報取得部２２で端末識別情報Ｃ−２を取得できたとき、顔情報Ｃ−１、端末識別情報Ｃ−２、音声情報Ｃ−３を通信端末特定装置１０へ送信する（ステップＳ３０４）。このとき、端末識別情報Ｃ−２のそれぞれに音声情報を対応付けて送信するが、音声情報を取得できなかった端末識別情報についても通信端末特定装置１０へ送信する。
【００８６】
次に、図７に本実施形態の通信端末特定装置１０の動作の例を示す。
【００８７】
まず、通信端末特定装置１０の受信部は、顔情報Ｃ−１、端末識別情報Ｃ−２、音声情報Ｃ−３を受信する（ステップＳ４０１）。このときの情報の例を図８（ａ）に示す。
【００８８】
次に、特定部１２は、受信した顔情報Ｃ−１と同一人物と判断される顔情報に対応し、かつ、端末識別情報Ｃ−２に含まれる端末識別情報を、情報記憶部１３から取得する（ステップＳ４０２）。たとえば、顔情報Ｃ−１と同一人物と判断される顔情報が情報記憶部１３にあるか調べる。情報記憶部１３に図８（ｂ）の情報が記憶されている場合、顔情報Ａ−１は顔情報Ｃ−１と同一人物の顔情報のため、顔情報Ａ−１が同一人物と判断される。
【００８９】
顔情報Ｃ−１と顔情報Ａ−１が同一人物と判断されたため、特定部１２は、情報記憶部１３から、顔情報Ａ−１に対応する端末識別情報Ａ−２（ＩＤ１、ＩＤ２、ＩＤ３）を取得する。端末識別情報Ｃ−２（ＩＤ２、ＩＤ３、ＩＤ６）を比較すると、ＩＤ２、ＩＤ３がいずれにも存在するため、ＩＤ２、ＩＤ３を取得する。そして、顔情報Ｃ−１、端末識別情報Ｃ−２についても、情報記憶部１３に記憶する。
【００９０】
あるいは、端末識別情報Ｃ−２に含まれる端末識別情報が情報記憶部１３にあるか調べ、見つかったＩＤ２、ＩＤ３に対応する顔情報Ａ−１と顔情報Ｃ−１とが同一人物かどうか判断しても良い。
【００９１】
次に、特定部１２は、取得した端末識別情報の各々について、音声情報Ｃ−３と音声情報Ａ−３を比較し、同一人物でないと判定された場合、取得した端末識別情報から当該端末識別情報を除く（ステップＳ４０３）。図８の例の場合、ＩＤ２について、音声情報Ａ−３の音声２と音声情報Ｃ−３の音声５を比較し、また、ＩＤ３について、音声情報Ａ−３の音声３と音声情報Ｃ−３の音声６を比較する。そして、ＩＤ３に対応する音声３と音声６が同一人物でないと判断された場合、取得した端末識別情報からＩＤ３を除く。受信した端末識別情報（Ｃ−２）に対応する音声情報がない場合、あるいは、情報記憶部１３から取得した端末識別情報（Ａ−２）に対応する音声情報がない場合には、その端末識別情報についての音声の比較は行わない。
【００９２】
音声の比較には、いかなる話者識別手法を使用しても構わない。たとえば、音声から特徴量を抽出して構築した声紋の類似度を算出する方法などがある。
【００９３】
そして、出力部１４は、顔情報Ａ−１あるいは／および顔情報Ｃ−１と、端末識別情報ＩＤ２を出力する（ステップＳ４０４）。このときの出力情報の例を図８（ｃ）に示す。
【００９４】
このように情報収集装置３０および通信端末特定装置１０を動作させることによって、顔情報Ａ−１あるいは顔情報Ｃ−１と通信端末の端末識別情報ＩＤ２を対応付けることが可能になる。これにより、顔情報Ａ−１あるいは顔情報Ｃ−１の人物が通信を行っている通信端末の端末識別情報はＩＤ２であると推定することが可能になる。
【００９５】
以上で説明したように、本発明の第三の実施形態でも、閉空間内の人物の顔情報と端末識別情報を取得し、取得した顔情報と同一人物と判断される顔情報に対応し、かつ、取得した端末識別情報に含まれる端末識別情報を情報記憶部から取得する。そのため、不特定多数の人物が出入りする閉空間内で通信を行っている人物と端末識別情報を対応付けることが可能になる。さらに、端末識別情報をさらに音声情報を用いて絞り込むことが可能になる。
【００９６】
［第四の実施形態］
次に、本発明の第四の実施形態について説明する。
【００９７】
本実施形態は、第一から第三のいずれかの実施形態の情報収集装置に対して、通信端末の端末形状を取得する構成を追加した構成である。ここでは、第一および第二の実施形態の情報収集装置に対して端末形状を取得する構成を追加した構成について説明する。
【００９８】
図９に情報収集装置４０の構成例を示す。通信端末特定装置１０の構成例は図１と同様である。
【００９９】
情報収集装置４０は、顔情報取得部２１、端末形状取得部４５、端末識別情報取得部２２および送信部２３によって構成される。第一および第二の実施形態の情報収集装置２０に対して、端末形状取得部４５を追加している。第三の実施形態の情報収集装置３０に対して、同様の端末形状取得部４５を追加することも可能である。
【０１００】
顔情報取得部２１および送信部２３については、第一および第二の実施形態と同様である。
【０１０１】
端末形状取得部４５は、顔情報取得部２１が顔情報を取得したとき、さらに、その人物が所持する通信端末の端末形状を取得する部分である。
【０１０２】
端末識別情報取得部２２では、顔情報取得部２１で端末形状を取得できたとき、閉空間を通信範囲とする無線通信基地局と通信する通信端末の端末識別情報を取得する。
【０１０３】
このように情報収集装置４０および通信端末特定装置１０を構成することによって、不特定多数の人物が出入りする閉空間内で通信を行っている人物と端末識別情報を対応付けることが可能になる。さらに、端末形状を取得することにより、顔情報を取得して送信する対象の人物を、通信端末を所持している人物へ絞り込むことが可能になる。これにより、より正確に閉空間内で通信を行っている人物の顔情報と端末識別情報を対応付けることが可能になる。
【０１０４】
次に、図１０に本実施形態の情報収集装置４０の動作の例を示す。なお、ステップＳ５０１、Ｓ５０３、Ｓ５０４はそれぞれ図２のステップＳ１０１、Ｓ１０２、Ｓ１０３に相当する。また、通信端末特定装置１０の動作の例は、第一あるいは第二の実施形態と同様である。
【０１０５】
まず、情報収集装置４０の顔情報取得部２１は、監視対象の閉空間に人物が入ってきたことを検知し、その人物の顔情報を取得する（ステップＳ５０１）。
【０１０６】
次に、端末形状取得部４５は、その人物の所持する通信端末の端末形状を取得する（ステップＳ５０２）。
【０１０７】
端末識別情報取得部２２は、端末形状取得部４５で端末形状を取得できたとき、監視対象の閉空間を通信範囲とする無線通信基地局と通信する通信端末の端末識別情報を取得する（ステップＳ５０３）。
【０１０８】
そして、送信部２３は、端末識別情報取得部２２で端末識別情報を取得できたとき、顔情報および端末識別情報を通信端末特定装置１０へ送信する（ステップＳ５０４）。
【０１０９】
このように情報収集装置４０および通信端末特定装置１０を動作させることによって、不特定多数の人物が出入りする閉空間内で通信を行っている人物と端末識別情報を対応付けることが可能になる。さらに、端末形状を取得することにより、顔情報を取得して送信する対象の人物を、通信端末を所持している人物へ絞り込むことが可能になる。これにより、より正確に閉空間内で通信を行っている人物の顔情報と端末識別情報を対応付けることが可能になる。
【０１１０】
以上で説明したように、本発明の第四の実施形態でも、閉空間内の人物の顔情報と端末識別情報を取得し、取得した顔情報と同一人物と判断される顔情報に対応し、かつ、取得した端末識別情報に含まれる端末識別情報を情報記憶部から取得する。そのため、不特定多数の人物が出入りする閉空間内で通信を行っている人物と端末識別情報を対応付けることが可能になる。さらに、端末形状を取得することにより、顔情報を取得して送信する対象の人物を、通信端末を所持している人物へ絞り込むことが可能になる。これにより、より正確に閉空間内の人物の顔情報と端末識別情報を対応付けることが可能になる。
【０１１１】
［第五の実施形態］
次に、本発明の第五の実施形態について説明する。
【０１１２】
本実施形態は、第一から第四の実施形態の情報収集装置に対して、閉空間内での人物の移動を検知する構成を追加した構成である。
【０１１３】
図１１に情報収集装置５０の構成例を示す。
【０１１４】
情報収集装置５０は、顔情報取得部２１、照合部５６、顔情報記憶部５７、端末識別情報取得部２２および送信部２３により構成される。第一および第二の実施形態の情報収集装置２０に対して、照合部５６および顔情報記憶部５７を追加している。第三の実施形態の情報収集装置３０や第四の実施形態の情報収集装置４０に対して、同様の照合部５６および顔情報記憶部５７を追加するように構成することも可能である。
【０１１５】
顔情報取得部２１は、セル空間に人物が入ってきたことを検知し、その人物の顔情報を取得する部分である。セル空間は、閉空間内をさらに小さく区分した空間である。本実施形態では、閉空間内に撮像装置が複数存在することを前提に、各撮像装置の監視範囲をセル空間として説明する。撮像装置の監視範囲に依らずに、閉空間内をたとえば等間隔等で区分することも可能である。
【０１１６】
照合部５６は、顔情報取得部２１が取得した顔情報を、顔情報記憶部５７に記憶されている顔情報と照合する部分である。顔情報取得部２１が取得した顔情報について、同一人物と判断される顔情報が顔情報記憶部５７に記憶されているかどうか確認する。同一人物と判断される顔情報が記憶されていれば、すでに他のセル空間で同一人物の顔情報を取得していたということなので、この人物は閉空間内を移動していると判断する。
【０１１７】
端末識別情報取得部２２は、顔情報取得部２１が顔情報を取得したとき、セル空間を通信範囲とする無線通信基地局と通信する通信端末の端末識別情報を取得する部分である。
【０１１８】
送信部２３は、端末識別情報取得部２２で端末識別情報を取得できたとき、顔情報と端末識別情報とを送信する部分である。また、さらに、照合部５６での移動判断結果も送信する。照合部５６の照合で、顔情報取得部２１が取得した顔情報の人物が閉空間内を移動していると判断した場合には、移動している旨の移動判断結果を送信する。なお、送信部５３からの顔情報および端末識別情報の送信は、閉空間内での移動を検知した場合にのみ行うようにしても良い。
【０１１９】
次に、通信端末特定装置１０の構成例について説明する。通信端末特定装置１０の構成例は、図１と同様である。
【０１２０】
受信部１１は、第一の顔情報とすくなくとも一つの第一の端末識別情報を含む取得情報を受信する部分である。本実施形態では、さらに、移動判断結果も受信する。
【０１２１】
特定部１２は、顔情報と端末識別情報の対応関係を記憶した情報記憶部１３から、第一の顔情報と同一人物と判断される第二の顔情報に対応し、かつ、第一の端末識別情報に含まれる、第二の端末識別情報を取得する部分である。本実施形態では、この第二の端末識別情報の取得は、受信部１１で受信した移動判断結果が移動している旨を示している場合に行う。そして、移動判断結果に関わらず、受信した顔情報と端末識別情報を情報記憶部１３に記憶する。閉空間内での移動を検知していない人物についても、顔情報と端末識別情報を情報記憶部１３に記憶し、閉空間内での移動を検知した人物について、第二の端末識別情報の取得（端末情報の絞り込み）を行うことになる。
【０１２２】
出力部１４は、特定部１２で取得した第二の端末識別情報が存在するとき、第一の顔情報あるいは／および第二の顔情報と第二の端末識別情報を出力する部分である。
【０１２３】
このように情報収集装置５０および通信端末特定装置１０を構成することによって、不特定多数の人物が出入りする閉空間内で通信を行っている人物と端末識別情報を対応付けることが可能になる。さらに、顔情報と端末識別情報の対応付けを、閉空間内で移動している人物に対してのみ行うことが可能になる。これにより、たとえば、閉空間内の不特定多数の人物の中から、閉空間内を移動しながら通信を行っている人物を検知し、その人物が所持する通信端末に対して、通信を遮断する、歩きながら通信をしないようにメッセージを送信する、等を行うことが可能になる。
【０１２４】
次に、図１２に本実施形態の情報収集装置５０の動作の例を示す。
【０１２５】
まず、顔情報取得部２１では、セル空間に人物が入ってきたことを検知し、その人物の顔情報を取得する（ステップＳ６０１）。
【０１２６】
次に、端末識別情報取得部２２では、顔情報取得部２１が顔情報を取得したとき、セル空間を通信範囲とする無線通信基地局と通信する通信端末の端末識別情報を取得する（ステップＳ６０２）。
【０１２７】
照合部５６では、顔情報取得部２１が取得した顔情報について、同一人物と判断される顔情報が顔情報記憶部５７に記憶されているかどうか照合する（ステップＳ６０３）。同一人物と判断される顔情報が記憶されていれば、異なるセル空間で取得された同一人物の顔情報が記憶されていることになるため、この人物は閉空間内を移動していると判断する。
【０１２８】
そして、送信部２３は、端末識別情報取得部２２で端末識別情報を取得できたとき、顔情報と端末識別情報と、さらに、移動判断結果を送信する（ステップＳ６０４）。ステップＳ６０３で、顔情報取得部２１が取得した顔情報の人物が移動していると判断した場合、移動している旨の移動判断結果を送信する。
【０１２９】
また、顔情報取得部２１で取得した顔情報を、顔情報記憶部５７に記憶する（ステップＳ６０５）。なお、ここで記憶した顔情報は、この顔情報の人物が閉空間からいなくなったことを検知したときに削除するようにすると良い。このようにすると、ある人物について、閉空間に入ってから出るまでの、閉空間内での移動を検知することが可能になる。あるいは、顔情報を取得してから所定の時間の経過後に削除するようにしても良い。
【０１３０】
次に、図１３に通信端末特定装置１０の動作の例を示す。
【０１３１】
まず、受信部１１は、情報収集装置５０から顔情報、端末識別情報、移動判断結果を受信する（ステップＳ７０１）。
【０１３２】
受信した移動判断結果が移動している旨を示している場合（ステップＳ７０２）、特定部１２は、第二の端末識別情報の取得（ステップＳ７０３）を行う。第二の端末識別情報の取得については、第一あるいは第二の実施形態と同様である。
【０１３３】
次に、出力部１４は、取得した第二の端末識別情報を出力する（ステップＳ７０４）。
【０１３４】
そして、移動判断結果に関わらず、受信部１１で受信した顔情報および端末識別情報を情報記憶部１３へ記憶する（ステップＳ７０５）。
【０１３５】
このように情報収集装置５０および通信端末特定装置１０を動作させることによって、不特定多数の人物が出入りする閉空間内で通信を行っている人物と端末識別情報を対応付けることが可能になる。さらに、顔情報と端末識別情報の対応付けを、閉空間内で移動している人物に対して行うことが可能になる。
【０１３６】
以上で説明したように、本発明の第五の実施形態でも、閉空間内の人物の顔情報と端末識別情報を取得し、取得した顔情報と同一人物と判断される顔情報に対応し、かつ、取得した端末識別情報に含まれる端末識別情報を情報記憶部から取得する。そのため、不特定多数の人物が出入りする閉空間内で通信を行っている人物と端末識別情報を対応付けることが可能になる。さらに、閉空間内で移動する人物を検知することによって、顔情報と端末識別情報の対応付けを、閉空間内で移動している人物に対して行うことが可能になる。
【０１３７】
［第六の実施形態］
次に、本発明の第六の実施形態について説明する。
【０１３８】
本実施形態は、第五の実施形態と同様に、閉空間内の人物の移動を検知する形態である。第五の実施形態と異なる点は、人物の移動の検知を、情報収集装置ではなく情報判定装置で行う点である。
【０１３９】
本実施形態の情報収集装置の構成例は、第一および第二の実施形態の情報収集装置２０（図１）、第三の実施形態の情報収集装置３０（図５）、あるいは、第四の実施形態の情報収集装置４０（図９）と同様である。以下、図１を用いて説明する。
【０１４０】
顔情報取得部２１は、セル空間に人物が入ってきたことを検知し、その人物の顔情報を取得する部分である。
【０１４１】
端末識別情報取得部２２は、顔情報取得部２１が顔情報を取得したとき、セル空間を通信範囲とする無線通信基地局と通信する通信端末の端末識別情報を取得する部分である。
【０１４２】
送信部２３は、端末識別情報を取得できたとき、顔情報と端末識別情報とを送信する部分である。本実施形態では、このとき、顔情報を取得した位置の情報、すなわち、セル空間の情報を付与して送信する。
【０１４３】
次に、図１４に本実施形態の通信端末特定装置６０の構成例を示す。
【０１４４】
通信端末特定装置６０は、受信部１１、移動検知部６５、特定部１２、情報記憶部１３および出力部１４により構成される。図１の通信端末特定装置１０に対して、移動検知部６５を追加している。
【０１４５】
受信部１１は、第一の顔情報とすくなくとも一つの第一の端末識別情報を含む取得情報を受信する部分である。さらに、第一の顔情報の人物が検知された位置（セル空間）の情報も受信する。
【０１４６】
移動検知部６５は、第一の顔情報の人物が閉空間内で移動しているかどうかを検知する部分である。情報記憶部１３に、同じ閉空間の位置情報に対応し、第一の顔情報と同一人物と判断される顔情報がある場合、第一の顔情報の人物は閉空間内で移動していると判断する。情報記憶部１３には、顔情報と端末識別情報に加えて、位置情報を記憶している。
【０１４７】
特定部１２は、移動検知部６５で移動を検知したとき、第二の端末識別情報を取得する部分である。情報記憶部１３から、第一の顔情報と同一人物と判断される第二の顔情報に対応し、かつ、第一の端末識別情報に含まれる、第二の端末識別情報を取得する。
【０１４８】
出力部１４は、第二の端末識別情報が存在するとき、第一の顔情報あるいは／および第二の顔情報と第二の端末識別情報を出力する部分である。
【０１４９】
このように情報収集装置２０および通信端末特定装置６０を構成することによって、不特定多数の人物が出入りする閉空間内で通信を行っている人物と端末識別情報を対応付けることが可能になる。さらに、顔情報と端末識別情報の対応付けを、閉空間内で移動している人物に対して行うことが可能になる。
【０１５０】
次に、図１５に本実施形態の情報収集装置２０の動作の例を示す。
【０１５１】
まず、顔情報取得部２１は、セル空間に人物が入ってきたことを検知し、その人物の顔情報を取得する（ステップＳ８０１）。
【０１５２】
次に、端末識別情報取得部２２は、顔情報取得部２１が顔情報を取得したとき、セル空間を通信範囲とする無線通信基地局と通信する通信端末の端末識別情報を取得する（ステップＳ８０２）。
【０１５３】
そして、送信部２３は、端末識別情報を取得できたとき、顔情報と端末識別情報とを送信する（ステップＳ８０３）。本実施形態では、このとき、顔情報を取得したセル空間の情報を付与して送信する。
【０１５４】
次に、図１６に本実施形態の通信端末特定装置６０の動作の例を示す。
【０１５５】
まず、受信部１１は、情報収集装置２０より、第一の顔情報、第一の端末識別情報、第一の位置情報（セル空間の情報）を受信する（ステップＳ９０１）。
【０１５６】
次に、移動検知部６５は、情報記憶部１３に、同じ閉空間の位置情報に対応し、第一の顔情報と同一人物と判断される顔情報があるか調べる。同じ閉空間の位置情報に対応し、第一の顔情報と同一人物と判断される顔情報があった場合、第一の顔情報の人物は閉空間内で移動していると判断する（ステップＳ９０２）。情報記憶部１３に顔情報を記憶したときの日時を合わせて記憶し、移動検知の調査対象として、第一の顔情報受信からある一定時間内の過去に記憶した顔情報を使用するようにしても良い。
【０１５７】
移動検知部６５で移動を検知した場合、特定部１２は、第二の端末識別情報の取得を行う（ステップＳ９０３）。第二の端末識別情報の取得方法は、第一から第四の実施形態と同様である。
【０１５８】
そして、出力部１４は、第二の端末識別情報を取得できた場合、第一の顔情報あるいは／および第二の顔情報と第二の端末識別情報を出力する（ステップＳ９０４）。
【０１５９】
また、ステップＳ９０２での移動検知有無に関わらず、受信部１１で受信した第一の顔情報、第一の端末識別情報およびセル空間情報を情報記憶部１３へ記憶する（ステップＳ９０５）。
【０１６０】
このように情報収集装置２０および通信端末特定装置６０を動作させることによって、不特定多数の人物が出入りする閉空間内で通信を行っている人物と端末識別情報を対応付けることが可能になる。さらに、顔情報と端末識別情報の対応付けを、閉空間内で移動している人物に対して行うことが可能になる。
【０１６１】
以上で説明したように、本発明の第六の実施形態でも、閉空間内の人物の顔情報と端末識別情報を取得し、取得した顔情報と同一人物と判断される顔情報に対応し、かつ、取得した端末識別情報に含まれる端末識別情報を情報記憶部から取得する。そのため、不特定多数の人物が出入りする閉空間内で通信を行っている人物と端末識別情報を対応付けることが可能になる。さらに、閉空間内で移動する人物を検知することによって、顔情報と端末識別情報の対応付けを、閉空間内で移動している人物に対して行うことが可能になる。
【０１６２】
なお、上述する各実施の形態は、本発明の好適な実施の形態であり、本発明の要旨を逸脱しない範囲内において種々変更実施が可能である。
【０１６３】
上記の実施形態の一部又は全部は、以下の付記のようにも記載されうるが、以下には限られない。
【０１６４】
（付記１）
第一の顔情報とすくなくとも一つの第一の端末識別情報を含む取得情報を受信する受信部と、
前記顔情報と前記端末識別情報の対応関係を記憶した情報記憶部から、前記第一の顔情報と同一人物と判断される第二の顔情報に対応し、かつ、前記第一の端末識別情報に含まれる、第二の端末識別情報を取得する特定部と、
前記第二の端末識別情報が存在するとき、前記第一の顔情報あるいは／および前記第二の顔情報と前記第二の端末識別情報を出力する出力部と
を備えることを特徴とする通信端末特定装置。
【０１６５】
（付記２）
前記特定部は、前記取得情報を前記情報記憶部に記憶する
ことを特徴とする付記１に記載の通信端末特定装置。
【０１６６】
（付記３）
前記取得情報は、さらに、第一の音声情報を含み、
前記特定部は、さらに、前記端末識別情報に対応する前記音声情報を記憶した前記情報記憶部から、前記第二の端末識別情報の各々について、対応する第二の音声情報を取得し、前記第一の音声情報と前記第二の音声情報が同一人物でないと判断された場合、当該端末識別情報を前記第二の端末識別情報から除く
ことを特徴とする付記１あるいは付記２に記載の通信端末特定装置。
【０１６７】
（付記４）
前記取得情報は、さらに、前記第一の顔情報の人物の移動の有無を示す移動判断結果を含み、
前記特定部は、前記移動判断結果が移動している旨を示している場合、前記第二の端末識別情報の取得を行う
ことを特徴とする付記１から付記３のいずれかに記載の通信端末特定装置。
【０１６８】
（付記５）
前記取得情報は、さらに、前記第一の顔情報の人物の位置に関する第一の位置情報を含み、
前記通信端末特定装置は、さらに、
前記顔情報と前記位置情報の対応関係を記憶した前記情報記憶部に、対応する前記位置情報が前記第一の位置情報と同一の閉空間に含まれ、かつ、前記第一の顔情報と同一人物と判断される前記顔情報があるとき、前記第一の顔情報の人物が移動していると判断する移動検知部
を備え、
前記特定部は、前記移動検知部で移動していると判断されたとき、前記第二の端末識別情報を取得する
ことを特徴とする付記１から付記３のいずれかに記載の通信端末特定装置。
【０１６９】
（付記６）
閉空間に人物が入ってきたことを検知し、前記人物の顔情報を取得する顔情報取得部と、
前記顔情報を取得したとき、前記閉空間を通信範囲とする無線通信基地局と通信する通信端末の端末識別情報を取得する端末識別情報取得部と、
前記端末識別情報を取得できたとき、前記顔情報と前記端末識別情報とを送信する送信部と
を備えることを特徴とする情報収集装置。
【０１７０】
（付記７）
前記顔情報取得部は、特定の人物の前記顔情報をあらかじめ保持し、前記特定の人物の前記顔情報と同一人物であると判断される人物の前記顔情報を取得する
ことを特徴とする付記６に記載の情報収集装置。
【０１７１】
（付記８）
前記情報収集装置は、さらに、
取得した前記端末識別情報の前記通信端末が音声通信を行っている場合、前記音声通信の音声情報を取得する音声取得部
を備え、
前記送信部は、さらに、前記音声情報を送信する
ことを特徴とする付記６あるいは付記７に記載の情報収集装置。
【０１７２】
（付記９）
前記情報収集装置は、さらに、
前記顔情報を取得したとき、前記人物が所持する前記通信端末の前記形状情報を取得する端末形状取得部
を備え、
前記端末識別情報取得部は、前記形状情報を取得できたとき、前記端末識別情報を取得する
ことを特徴とする付記６から付記８のいずれかに記載の情報収集装置。
【０１７３】
（付記１０）
前記顔情報取得部は、前記閉空間を区分したセル空間に人物が入ってきたことを検知し、前記人物の顔情報を取得し、
前記情報収集装置は、さらに、
前記顔情報を記憶する顔情報記憶部に、前記顔情報取得部で取得した前記顔情報と同一人物と判断される前記顔情報が記憶されているとき、前記顔情報の人物が移動していると判断する照合部
を備え、
前記送信部は、さらに、前記照合部の移動判断結果を送信する
ことを特徴とする付記６から付記９のいずれかに記載の情報収集装置。
【０１７４】
（付記１１）
前記照合部は、前記顔情報取得部が取得した前記顔情報を前記顔情報記憶部に記憶する
ことを特徴とする付記１０に記載の情報収集装置。
【０１７５】
（付記１２）
前記照合部は、前記顔情報の人物が前記閉空間からいなくなったことを検知したとき、あるいは、前記顔情報を取得してから所定の時間を経過したとき、前記人物の顔情報を前記顔情報記憶部から削除する
ことを特徴とする付記１１に記載の情報収集装置。
【０１７６】
（付記１３）
前記顔情報取得部は、前記閉空間を区分したセル空間に人物が入ってきたことを検知し、前記人物の顔情報を取得し、
前記送信部は、前記顔情報の人物を検知した位置の情報を送信する
ことを特徴とする付記６から付記９に記載の情報収集装置。
【０１７７】
（付記１４）
付記６から付記９のいずれかに記載の情報収集装置と、
付記１から付記３のいずれかに記載の通信端末特定装置と
を備え、
前記収集装置の前記送信部は、前記通信端末特定装置へ、前記顔情報と前記端末識別情報を送信する
ことを特徴とする通信端末特定システム。
【０１７８】
（付記１５）
付記８に記載の情報収集装置と、
付記３に記載の通知端末特定装置と
を備え、
前記収集装置の前記送信部は、前記通信端末特定装置へ、前記顔情報と前記端末識別情報と前記音声情報とを送信する
ことを特徴とする通信端末特定システム。
【０１７９】
（付記１６）
付記１０から付記１２のいずれかに記載の情報収集装置と、
付記４に記載の通知端末特定装置と
を備え、
前記収集装置の前記送信部は、前記通信端末特定装置へ、前記顔情報と前記端末識別情報と前記移動判断結果とを送信する
ことを特徴とする通信端末特定システム。
【０１８０】
（付記１７）
付記１３に記載の情報収集装置と、
付記５に記載の通知端末特定装置と
を備え、
前記収集装置の前記送信部は、前記通信端末特定装置へ、前記顔情報と前記端末識別情報と前記位置情報とを送信する
ことを特徴とする通信端末特定システム。
【０１８１】
（付記１８）
第一の顔情報とすくなくとも一つの第一の端末識別情報を含む取得情報を受信し、前記顔情報と前記端末識別情報の対応関係を記憶した情報記憶部から、前記第一の顔情報と同一人物と判断される第二の顔情報に対応し、かつ、前記第一の端末識別情報に含まれる、第二の端末識別情報を取得し、前記第二の端末識別情報が存在するとき、前記第一の顔情報あるいは／および前記第二の顔情報と前記第二の端末識別情報を出力する
ことを特徴とする通信端末特定方法。
【０１８２】
（付記１９）
前記通信端末特定方法は、前記取得情報を前記情報記憶部に記憶する
ことを特徴とする付記１８に記載の通信端末特定方法。
【０１８３】
（付記２０）
前記取得情報は、さらに、第一の音声情報を含み、
前記通信端末特定方法は、さらに、前記端末識別情報に対応する前記音声情報を記憶した前記情報記憶部から、前記第二の端末識別情報の各々について、対応する第二の音声情報を取得し、前記第一の音声情報と前記第二の音声情報が同一人物でないと判断された場合、当該端末識別情報を前記第二の端末識別情報から除く
ことを特徴とする付記１８あるいは付記１９に記載の通信端末特定方法。
【０１８４】
（付記２１）
前記取得情報は、さらに、前記第一の顔情報の人物の移動の有無を示す移動判断結果を含み、
前記通信端末特定方法は、前記移動判断結果が移動している旨を示している場合、前記第二の端末識別情報の取得を行う
ことを特徴とする付記１８から付記２０のいずれかに記載の通信端末特定方法。
【０１８５】
（付記２２）
前記取得情報は、さらに、前記第一の顔情報の人物の位置に関する第一の位置情報を含み、
前記通信端末特定方法は、さらに、前記顔情報と前記位置情報の対応関係を記憶した前記情報記憶部に、対応する前記位置情報が前記第一の位置情報と同一の閉空間に含まれ、かつ、前記第一の顔情報と同一人物と判断される前記顔情報があるとき、前記第二の端末識別情報を取得する
ことを特徴とする付記１８から付記２０のいずれかに記載の通信端末特定方法。
【０１８６】
（付記２３）
閉空間に人物が入ってきたことを検知し、前記人物の顔情報を取得し、前記顔情報を取得したとき、前記閉空間を通信範囲とする無線通信基地局と通信する通信端末の端末識別情報を取得し、前記端末識別情報を取得できたとき、前記顔情報と前記端末識別情報とを送信する
ことを特徴とする情報収集方法。
【０１８７】
（付記２４）
前記情報収集方法は、特定の人物の前記顔情報をあらかじめ保持し、前記特定の人物の前記顔情報と同一人物であると判断される人物の前記顔情報を取得する
ことを特徴とする付記２３に記載の情報収集方法。
【０１８８】
（付記２５）
前記情報収集方法は、さらに、取得した前記端末識別情報の前記通信端末が音声通信を行っている場合、前記音声通信の音声情報を取得し、前記音声情報を送信する
ことを特徴とする付記２３あるいは付記２４に記載の情報収集方法。
【０１８９】
（付記２６）
前記情報収集方法は、さらに、前記顔情報を取得したとき、前記人物が所持する前記通信端末の前記形状情報を取得し、前記形状情報を取得できたとき、前記端末識別情報を取得する
ことを特徴とする付記２３から付記２５のいずれかに記載の情報収集方法。
【０１９０】
（付記２７）
前記情報収集方法は、前記閉空間を区分したセル空間に人物が入ってきたことを検知し、前記人物の顔情報を取得し、前記顔情報を記憶する顔情報記憶部に、前記顔情報取得部で取得した前記顔情報と同一人物と判断される前記顔情報が記憶されているとき、前記顔情報の人物が移動していると判断し、前記移動判断結果を送信する
ことを特徴とする付記２３から付記２６のいずれかに記載の情報収集方法。
【０１９１】
（付記２８）
前記情報収集方法は、取得した前記顔情報を前記顔情報記憶部に記憶する
ことを特徴とする付記２７に記載の情報収集方法。
【０１９２】
（付記２９）
前記情報収集方法は、前記顔情報の人物が前記閉空間からいなくなったことを検知したとき、あるいは、前記顔情報を取得してから所定の時間を経過したとき、前記人物の顔情報を前記顔情報記憶部から削除する
ことを特徴とする付記２８に記載の情報収集方法。
【０１９３】
（付記３０）
前記情報収集方法は、前記閉空間を区分したセル空間に人物が入ってきたことを検知し、前記人物の顔情報を取得し、前記顔情報の人物を検知した位置の情報を送信する
ことを特徴とする付記２３から付記２６に記載の情報収集方法。
【０１９４】
（付記３１）
コンピュータに、
第一の顔情報とすくなくとも一つの第一の端末識別情報を含む取得情報を受信する受信機能と、
前記顔情報と前記端末識別情報の対応関係を記憶した情報記憶部から、前記第一の顔情報と同一人物と判断される第二の顔情報に対応し、かつ、前記第一の端末識別情報に含まれる、第二の端末識別情報を取得する特定機能と、
前記第二の端末識別情報が存在するとき、前記第一の顔情報あるいは／および前記第二の顔情報と前記第二の端末識別情報を出力する出力機能と
を実現させることを特徴とする通信端末特定プログラム。
【０１９５】
（付記３２）
前記特定機能は、前記取得情報を前記情報記憶部に記憶する
ことを特徴とする付記３１に記載の通信端末特定プログラム。
【０１９６】
（付記３３）
前記取得情報は、さらに、第一の音声情報を含み、
前記特定機能は、さらに、前記端末識別情報に対応する前記音声情報を記憶した前記情報記憶部から、前記第二の端末識別情報の各々について、対応する第二の音声情報を取得し、前記第一の音声情報と前記第二の音声情報が同一人物でないと判断された場合、当該端末識別情報を前記第二の端末識別情報から除く
ことを特徴とする付記３１あるいは付記３２に記載の通信端末特定プログラム。
【０１９７】
（付記３４）
前記取得情報は、さらに、前記第一の顔情報の人物の移動の有無を示す移動判断結果を含み、
前記特定機能は、前記移動判断結果が移動している旨を示している場合、前記第二の端末識別情報の取得を行う
ことを特徴とする付記３１から付記３３のいずれかに記載の通信端末特定プログラム。
【０１９８】
（付記３５）
前記取得情報は、さらに、前記第一の顔情報の人物の位置に関する第一の位置情報を含み、
前記通信端末特定プログラムは、コンピュータに、さらに、
前記顔情報と前記位置情報の対応関係を記憶した前記情報記憶部に、対応する前記位置情報が前記第一の位置情報と同一の閉空間に含まれ、かつ、前記第一の顔情報と同一人物と判断される前記顔情報があるとき、前記第一の顔情報の人物が移動していると判断する移動検知機能
を実現させ、
前記特定機能は、前記移動検知機能で移動していると判断されたとき、前記第二の端末識別情報を取得する
ことを特徴とする付記３１から付記３３のいずれかに記載の通信端末特定プログラム。
【０１９９】
（付記３６）
コンピュータに、
閉空間に人物が入ってきたことを検知し、前記人物の顔情報を取得する顔情報取得機能と、
前記顔情報を取得したとき、前記閉空間を通信範囲とする無線通信基地局と通信する通信端末の端末識別情報を取得する端末識別情報取得機能と、
前記端末識別情報を取得できたとき、前記顔情報と前記端末識別情報とを送信する送信機能と
を実現させることを特徴とする情報収集プログラム。
【０２００】
（付記３７）
前記顔情報取得機能は、特定の人物の前記顔情報をあらかじめ保持し、前記特定の人物の前記顔情報と同一人物であると判断される人物の前記顔情報を取得する
ことを特徴とする付記３６に記載の情報収集プログラム。
【０２０１】
（付記３８）
前記情報収集プログラムは、コンピュータに、さらに、
取得した前記端末識別情報の前記通信端末が音声通信を行っている場合、前記音声通信の音声情報を取得する音声取得機能
を実現させ、
前記送信機能は、さらに、前記音声情報を送信する
ことを特徴とする付記３６あるいは付記３７に記載の情報収集プログラム。
【０２０２】
（付記３９）
前記情報収集プログラムは、コンピュータに、さらに、
前記顔情報を取得したとき、前記人物が所持する前記通信端末の前記形状情報を取得する端末形状取得機能
を実現させ、
前記端末識別情報取得機能は、前記形状情報を取得できたとき、前記端末識別情報を取得する
ことを特徴とする付記３６から付記３８のいずれかに記載の情報収集プログラム。
【０２０３】
（付記４０）
前記顔情報取得機能は、前記閉空間を区分したセル空間に人物が入ってきたことを検知し、前記人物の顔情報を取得し、
前記情報収集プログラムは、コンピュータに、さらに、
前記顔情報を記憶する顔情報記憶部に、前記顔情報取得機能で取得した前記顔情報と同一人物と判断される前記顔情報が記憶されているとき、前記顔情報の人物が移動していると判断する照合機能
を実現させ、
前記送信機能は、さらに、前記照合機能の移動判断結果を送信する
ことを特徴とする付記３６から付記３９のいずれかに記載の情報収集プログラム。
【０２０４】
（付記４１）
前記照合機能は、前記顔情報取得機能が取得した前記顔情報を前記顔情報記憶部に記憶する
ことを特徴とする付記４０に記載の情報収集プログラム。
【０２０５】
（付記４２）
前記照合機能は、前記顔情報の人物が前記閉空間からいなくなったことを検知したとき、あるいは、前記顔情報を取得してから所定の時間を経過したとき、前記人物の顔情報を前記顔情報記憶部から削除する
ことを特徴とする付記４１に記載の情報収集プログラム。
【０２０６】
（付記４３）
前記顔情報取得機能は、前記閉空間を区分したセル空間に人物が入ってきたことを検知し、前記人物の顔情報を取得し、
前記送信機能は、前記顔情報の人物を検知した位置の情報を送信する
ことを特徴とする付記３６から付記３９に記載の情報収集プログラム。
【符号の説明】
【０２０７】
１０、６０    通信端末特定装置
２０、３０、４０、５０    情報収集装置
１１    受信部
１２    特定部
１３    情報記憶部
１４    出力部
２１    顔情報取得部
２２    端末識別情報取得部
２３    送信部
３４    音声取得部
４５    端末形状取得部
５６    照合部
５７    顔情報記憶部
６５    移動検知部
８０    ネットワーク
【図１】
0006547367.tif 000002
【図２】
0006547367.tif 000003
【図３】
0006547367.tif 000004
【図４】
0006547367.tif 000005
【図５】
0006547367.tif 000006
【図６】
0006547367.tif 000007
【図７】
0006547367.tif 000008
【図８】
0006547367.tif 000009
【図９】
0006547367.tif 000010
【図１０】
0006547367.tif 000011
【図１１】
0006547367.tif 000012
【図１２】
0006547367.tif 000013
【図１３】
0006547367.tif 000014
【図１４】
0006547367.tif 000015
【図１５】
0006547367.tif 000016
【図１６】
0006547367.tif 000017